(57)【要約】      （修正有）【課題】  一部に葉書用紙が設けられた広告用印刷物で、葉書用紙を利用して郵送する際に記入事項の漏洩を防止した郵送媒体を有する広告用印刷物を提供する。【解決手段】用紙の一部分を葉書用紙３として用いる広告用印刷物１で、前記葉書用紙の所定部分に折り畳み予定線６が表示され、前記折り畳み予定線を介して葉書本体となる葉書本体片７と、葉書上に貼付させるための葉書貼付片８とが連接され、前記葉書貼付片の折り畳み側の上端縁部に沿った所定領域と、下端縁部に沿った所定領域とに所定の条件を加えることで接着する接着剤が塗布され、前記葉書貼付片の接着剤が塗布されていない領域面上に、所定の条件を加えることで剥離可能に接着する剥離用接着剤が塗布され、前記葉書用紙に該葉書用紙が折り畳み予定線から折り畳まれ、前記接着剤及び前記剥離用接着剤により接着された際に、剥離用接着剤が塗布された領域部分を切り取るための切り取りミシン５が形成されている。【選択図】図１
0003122203.tif 000002
【実用新案登録請求の範囲】
【請求項１】
広告が印刷された用紙の一部分を葉書用紙として用いる広告用印刷物であって、
前記葉書用紙の所定部分に折り畳み予定線が表示され、前記折り畳み予定線を介して葉書本体となる葉書本体片と、葉書上に貼付させるための葉書貼付片とが連接されてなり、前記葉書貼付片の折り畳み側の上端縁部に沿った所定領域と、下端縁部に沿った所定領域とに、所定の条件を加えることで接着する接着剤が塗布され、前記葉書貼付片の前記接着剤が塗布されていない領域面上に、所定の条件を加えることで剥離可能に接着する剥離用接着剤が塗布され、前記葉書用紙に該葉書用紙が前記折り畳み予定線から折り畳まれ、前記接着剤及び前記剥離用接着剤により接着された際に、前記剥離用接着剤が塗布された領域部分を切り取るための切り取りミシンが形成されていることを特徴とする広告用印刷物。
【請求項２】
前記切り取りミシンが、前記折り畳み予定線から折り畳まれて重なり合う前記葉書本体片と前記葉書貼付片の重合部分に形成されていることを特徴とする請求項１記載の広告用印刷物。
【請求項３】
前記接着剤及び前記剥離用接着剤が、前記折り畳み予定線から折り畳まれて重なり合う前記葉書本体片と前記葉書貼付片の重合部分に塗布されていることを特徴とする請求項１又は請求項２に記載の広告用印刷物。
【請求項４】
前記接着剤が、感圧性または再湿性の接着剤であることを特徴とする請求項１乃至請求項３に記載の広告用印刷物。
【考案の詳細な説明】
【技術分野】
【０００１】
本考案は、新聞の折込用チラシやダイレクトメールで郵送するパンフレットなどの広告用印刷物であって、特に広告用印刷物に顧客が申込みなどの際に使用するための葉書用紙が用紙内に設けられている広告用印刷物に関する。
【背景技術】
【０００２】
従来、販売促進を図るための手段として、新聞に折込用チラシを入れて配布したり、ダイレクトメールに広告チラシを同封するなどして、広告印刷物を顧客に配布又は郵送している。
このような広告印刷物には、広告情報が掲載されているだけではなく、それらの広告を見た顧客が広告主側へ連絡するために利用する葉書用紙や封筒用紙が付加されていることもあり、顧客は、必要に応じてそれらの葉書用紙や封筒用紙に個人情報を記入して申込みなどを行っている。
既に、封筒と申込用紙と広告とを有する広告用印刷物として、用紙の位置部を利用して封筒が設けられている広告用印刷物が公知となっている。（例えば、特許文献１参照）
【０００３】
しかしながら、葉書に個人情報を記入して郵送する場合には、個人情報が漏洩して悪用されるという危険性があるという問題がある。
また、封筒用紙を用いる場合には、葉書に比べて郵送料金が高くなるというコスト上の問題がある。
更に、封筒を広告印刷物に同封して郵送する場合には、製造コストや郵送コストも高くなるために、気軽に広告印刷物に郵送媒体を付加して利用できないという不便がある。
【０００４】
【特許文献１】特開２００５−３１９６２３号公報
【考案の開示】
【考案が解決しようとする課題】
【０００５】
そこで、本考案は、新聞の折込用チラシやダイレクトメールで郵送するパンフレットなどの広告用印刷物の一部に葉書用紙が設けられた広告用印刷物であって、その葉書用紙を顧客が利用して郵送する際に、個人情報などの記入事項を簡単に隠蔽状態にして郵送できるようにして、個人情報などの記入事項の漏洩を防止した郵送媒体を有する広告用印刷物を提供する。
【課題を解決するための手段】
【０００６】
本考案の広告用印刷物は、広告が印刷された用紙の一部分を葉書用紙として用いる広告用印刷物であって、前記葉書用紙の所定部分に折り畳み予定線が表示され、前記折り畳み予定線を介して葉書本体となる葉書本体片と、葉書上に貼付させるための葉書貼付片とが連接されてなり、前記葉書貼付片の折り畳み側の上端縁部に沿った所定領域と、下端縁部に沿った所定領域とに、所定の条件を加えることで接着する接着剤が塗布され、前記葉書貼付片の前記接着剤が塗布されていない領域面上に、所定の条件を加えることで剥離可能に接着する剥離用接着剤が塗布され、前記葉書用紙に該葉書用紙が前記折り畳み予定線から折り畳まれ、前記接着剤及び前記剥離用接着剤により接着された際に、前記剥離用接着剤が塗布された領域部分を切り取るための切り取りミシンが形成されていることを特徴とする。
【０００７】
また、本考案の広告用印刷物は、前記切り取りミシンが、前記折り畳み予定線から折り畳まれて重なり合う前記葉書本体片と前記葉書貼付片の重合部分に形成されていることを特徴とする。
【０００８】
更に、本考案の広告用印刷物は、前記接着剤及び前記剥離用接着剤が、前記折り畳み予定線から折り畳まれて重なり合う前記葉書本体片と前記葉書貼付片の重合部分に塗布されていることを特徴とする。
【０００９】
また、本考案の広告用印刷物は、前記接着剤が、感圧性または再湿性の接着剤であることを特徴とする。
【考案の効果】
【００１０】
本考案の広告用印刷物は、用紙の一部に葉書貼付片を有する葉書用紙が設けられ、葉書貼付片の折り畳み側の上端縁部に沿った所定領域と、下端縁部に沿った所定領域とに、所定の条件を加えることで接着する接着剤が塗布され、その他の領域に剥離用接着剤が塗布されているので、新聞の折込用チラシやダイレクトメール用のパンフレットとして配布する際に１枚の広告用紙として利用することができ、また顧客が広告主側へ連絡を取りたい場合には、葉書用紙に個人情報などの必要な事項を記入した後に、葉書貼付片でそれらの記入事項を隠蔽させて郵送することができ、記入された個人情報の漏洩を防止できるという効果がある。
また、切り取りミシンを切り取ることで簡単に葉書用紙の記入部分を簡単に切り離し、見開くことができるという効果がある。
【００１１】
また、本考案の広告用印刷物は、切り取りミシンが、折り畳み予定線から折り畳まれて重なり合う葉書本体片と葉書貼付片の重合部分に形成されているので、葉書に記入された部分を切り取りミシンから簡単に切り離すことができるという効果がある。
【００１２】
更に、本考案の広告用印刷物は、接着剤及び剥離用接着剤が、折り畳み予定線から折り畳まれて重なり合う葉書本体片と葉書貼付片の重合部分に塗布されているので、確実に接着状態にして葉書として郵送することができるという効果がある。
【００１３】
また、本考案の広告用印刷物は、用紙に塗布されている接着剤が、感圧性または再湿性の接着剤であるので、葉書の記入部分を葉書貼付片で隠蔽状態とする際に、コインで擦って加圧させたり、水で湿らせるなどして簡単に隠蔽させることが出来るという効果がある。
【考案を実施するための最良の形態】
【００１４】
以下、本考案の実施形態に係る広告用印刷物について、図面に基づいて詳細に説明する。
図１は、本考案の実施形態に係る広告用印刷物の平面図、図２は、本考案の実施形態に係る広告用印刷物の一部分に設けられた葉書用紙の平面図、図３は、本考案の実施形態に係る広告用印刷物の一部分に設けられた葉書用紙であって、葉書貼付片で記入事項を隠蔽させた状態を示す平面図、図４は、本考案の実施形態に係る広告用印刷物の一部分に設けられた葉書用紙で郵送された葉書の一部を切り離した状態を示す平面図、図５は、図２のＡ−Ａ線断面図、図６は、図３のＢ−Ｂ線断面図、図７は、本考案の実施形態に係る広告用印刷物の一部分に設けられた葉書用紙により郵送された葉書の記入部分を見開いた状態を示す斜視図である。
【００１５】
本考案の実施形態に係る広告用印刷物１は、図１に示すように、一枚の用紙２の一部分に葉書を形成させるための葉書用紙３が設けられている。
用紙２の横方向の略中央部には、用紙２を縦方向に折り畳むための折り畳み線４が設けられ、用紙２を折り畳み線４から２つ折りした状態で新聞の折り込みチラシなどとして用いられる。
用紙２の表裏面には、所望の広告情報などが表示されていて、広告用の印刷物として配布される。
【００１６】
用紙２の一部分に設けられている葉書用紙３は、切り取りミシン５により用紙２から切り取れるように形成されている。
図２には、用紙２に形成された切り取りミシン５から切り離した状態の葉書用紙３が示されている。
葉書用紙３には、葉書用紙３の長手方向に対して、約３分の１の部分を折り畳むための折り畳み線６が表示され、この折り畳み線６で分割される約３分の２の部分が葉書本体片７となり、また残り部分である約３分の１の部分が、葉書本体片７の上側に貼付させて葉書の使用者が記入した記入情報を隠蔽させるための葉書貼付片８となる。
【００１７】
図２又は図４に示すように、葉書貼付片８の折り畳み側の上端縁部に沿った所定領域と、下端縁部に沿った所定領域とには、所定の条件を加えることで接着する接着剤９ａ，９ｂが塗布され、また接着剤９ａ，９ｂが塗布された領域を除く全面に、所定の条件を加えることで剥離可能に接着する剥離用接着剤１０が塗布されている。
更に、葉書貼付片８が折り畳み線６から折り畳まれて、葉書用紙３と重ねた場合に、接着剤９ａ，９ｂが塗布された領域と重なる葉書用紙３の領域にも、所定の条件を加えることで接着する接着剤１１ａ，１１ｂが塗布され、更に、剥離用接着剤１０が塗布された領域と重なる葉書用紙３の領域にも、所定の条件を加えることで剥離可能に接着する剥離用接着剤１２が塗布されている。
【００１８】
また、葉書貼付片８において、接着剤９ａ，９ｂが塗布された領域と、剥離用接着剤１０が塗布された領域との境の部分には、切り取りミシン１３ａ，１３ｂが形成され、更に、葉書本体片７において、接着剤１１ａ，１１ｂが塗布された領域と、剥離用接着剤１２が塗布された領域との境の部分には、切り取りミシン１４ａ，１４ｂが形成されている。
また、葉書本体片７において、接着剤１１及び剥離用接着剤１２が塗布された領域と、宛先記載部分領域との境には、切り取りミシン１５が形成されている。
【００１９】
葉書貼付片８及び葉書本体片７に塗布されている所定の条件を加えることで接着する接着剤９ａ，９ｂ，１１ａ，１１ｂとしては、従来公知の感圧性の接着剤を使用することができる。
これらの接着剤としては、用紙の接着剤が塗布された部分をコインなどで擦って加圧することで接着するタイプの感圧性接着剤が好ましいが、接着剤９ａ，９ｂ，１１ａ，１１ｂとして水糊を用いてもよく、使用者が、水糊が塗布された部分を水で濡らすことで接着させるような再湿性の接着剤などを用いてもよい。
【００２０】
また、葉書貼付片８及び葉書本体片７に塗布されている所定の条件を加えることで剥離可能に接着する剥離用接着剤１０，１２は、用紙の接着剤が塗布された部分をコインなどで擦って加圧することで接着するタイプの感圧接着剤であって、接着された状態の用紙同士を簡単に剥離できる程度の接着力を有する接着剤が用いられる。
このような剥離用接着剤は、接着力の程度の調整が難しい場合もあるので、接着剤が塗布された塗布面上に接着力を剥離しやすいように調整する剥離剤を塗布することで、剥離可能な接着状態とするようにしてもよい。
【００２１】
また、接着剤９ａ，９ｂ，１１ａ，１１ｂや剥離用接着剤１０，１２が塗布される領域は、必ずしも図２に示すように、葉書貼付片８及び葉書本体片７に塗布しなくてもよく、葉書貼付片８が葉書本体片７に対して接着されるならば、少なくとも葉書貼付片８の一方に塗布するようにしてもよい。
いずれにしても、接着剤９ａ，９ｂ，１１ａ，１１ｂは、強接着され、また剥離用接着剤１０，１２は、接着された用紙同士を摘んで引き剥がすことが可能な弱接着状態となるような接着剤が塗布されていればよい。
【００２２】
葉書本体片７において、折り畳み線６から折り畳まれる葉書貼付片８が重なる領域は、葉書の送り人が個人情報などを記入するための記入部分となっている。
この記入部分には、必要に応じて記入欄などを予め印刷しておき、広告情報に関連して種々の申込みや連絡などとして使用できるようにしてある。
【００２３】
次に、広告用印刷物１の使用方法を以下に説明する。
まず、広告用印刷物１を用いて広告を行う広告主は、用紙２の表裏面に所望の広告情報を印刷すると共に、葉書本体片７にも宛先として広告主側の宛先情報の印刷をしておき、例えば、新聞の折り込みチラシなどとして消費者に配布する。
広告用印刷物１の一部にある葉書用紙３は、例えば資料請求用の葉書として広告用印刷物１を受け取った消費者が、広告用印刷物１に印刷された広告の関する資料請求を行いたいと希望する際に利用できるように、用紙２の所定部分に葉書用紙３の利用説明や葉書用紙３で葉書を作成する組み立て方法などを予め印刷させておく。
【００２４】
消費者が葉書用紙３を用いて資料請求などを行う場合には、葉書用紙３の記入欄などの記入部分に必要事項を記入した後に、図３又は図５に示すように、葉書本体片７の上側に、折り畳み線６から葉書貼付片８を折り畳んで、用紙を重ね合わせ、重ね合わせた葉書貼付片８の上からコインなどにより全面を擦りつけて加圧することで、重ね合わされている接着剤９ａ，９ｂ，１１ａ，１１ｂ同士が強接着状態となり、剥離用接着剤１０，１２同士とが剥離可能な弱接着状態となる。
これにより、葉書用紙３は、葉書として郵送可能な形体となり郵便ポストに投函されて記入情報が隠蔽された状態で郵送される。
【００２５】
そして、葉書を受け取った受取人は、図４に示すように、葉書の記入情報を見るために葉書用紙３を切り取りミシン１５から切り取ると共に、２方に形成された切り取りミシン１３ａ，１３ｂ，１４ａ，１４ｂから強接着された用紙部分を切り取り、葉書本体片７と葉書貼付片８とを指で摘んで逆方向に引っ張ることで剥離させることができ、葉書本体片７の記入欄などの記入部分が露出されて記入情報の内容を見ることができるようにしてある。
【００２６】
したがって、本考案の広告用印刷物１は、用紙の一部分に葉書用紙３が設けられており、必要に応じて広告用印刷物１の受取人が葉書用紙３に必要事項を記入し、その記入情報を葉書貼付片８で隠蔽させて、葉書として郵送することができるので、葉書に記入された個人情報などを第三者に見られないで伝えることができるようになっている。
特に、葉書用紙３が広告用印刷物１の一部分に設けられているので、葉書用紙を広告用印刷物と別々に作る手間やコストをかける必要がなく、手軽に葉書用紙付きの広告用印刷物として利用することができる。
【００２７】
また、葉書貼付片８及び葉書本体片７に塗布されている所定の条件を加えることで接着する接着剤９，１１と、所定の条件を加えることで剥離可能に接着する剥離用接着剤１０，１２としては、使用者がコインなどで擦って加圧させた部分を明確にして、まだ加圧していない部分を使用者に知らせることで、接着すべき部分を確実に加圧できるようにするために、加圧時に接着剤塗布部が変色したり、発色する変色剤や発色剤を接着剤に混入させるようにしてもよい。
【図面の簡単な説明】
【００２８】
【図１】本考案の実施形態に係る広告用印刷物の平面図である。
【図２】本考案の実施形態に係る広告用印刷物の一部分に設けられた葉書用紙の平面図である。
【図３】本考案の実施形態に係る広告用印刷物の一部分に設けられた葉書用紙であって、葉書貼付片で記入事項を隠蔽させた状態を示す平面図である。
【図４】本考案の実施形態に係る広告用印刷物の一部分に設けられた葉書用紙で郵送された葉書の一部を切り離した状態を示す平面図である。
【図５】図２のＡ−Ａ線断面図である。
【図６】図３のＢ−Ｂ線断面図である。
【図７】本考案の実施形態に係る広告用印刷物の一部分に設けられた葉書用紙により郵送された葉書の記入部分を見開いた状態を示す斜視図である。
【符号の説明】
【００２９】
１  広告用印刷物
２  用紙
３  葉書用紙
４，６  折り畳み線
５，１３ａ，１３ｂ，１４ａ，１４ｂ，１５  切り取りミシン
７  葉書本体片
８  葉書貼付片
９ａ，９ｂ，１１ａ，１１ｂ  接着剤
１０，１２  剥離用接着剤
【図１】
0003122203.tif 000003
【図２】
0003122203.tif 000004
【図３】
0003122203.tif 000005
【図４】
0003122203.tif 000006
【図５】
0003122203.tif 000007
【図６】
0003122203.tif 000008
【図７】
0003122203.tif 000009
【手続補正書】
【提出日】平成18年3月23日(2006.3.23)
【手続補正１】
【補正対象書類名】実用新案登録請求の範囲
【補正対象項目名】請求項４
【補正方法】変更
【補正の内容】
【請求項４】
前記接着剤が、感圧性または再湿性の接着剤であることを特徴とする請求項１〜３のいずれか一項に記載の広告用印刷物。